(57)【要約】【課題】落としたメダル類の回収及び回収後の取り出しが容易なメダル回収機を提供する。【解決手段】回転してメダル類１７を後方へ掻き上げるブラシ１をハウジング５前部に配置すると共に掻き込んだメダル類１７を収容する収容部３をハウジング後部に設けた。ブラシ１は枠体９に軸着して回動支点を枠体９を介してブラシ１前方のハウジング５に設け、上下に揺動自在に配置した。また、ブラシ１を回転させるモータ２を枠体９に取り付け、ブラシ１と収容部３の間に掻き上げたメダル類を収容部３へ案内する案内部材４を配置した。案内部材４はブラシ側先端部が下方に付勢されると共にハウジング５内に後退移動可能に形成し、メダル類の収容操作中に案内部材４の先端が床面に常時接するようにした。【選択図】　図１
2004065673.tif 000002
【特許請求の範囲】
【請求項１】
回転してメダル類を掻き込む掻き込み部材をハウジング前部に配置すると共に掻き込んだメダル類を収容する収容部をハウジング後部に設け、更に前記掻き込み部材を回転させる回転付与手段を備え、ハウジングの前面下部からハウジングの下面を開放して掻き込み部材を下方へ露出させ、床面に接した掻き込み部材を回転させることで床上のメダル類を掻き込み回収動作することを特徴とするメダル回収機。
【請求項２】
掻き込み部材は、左右に伸びた円筒体であり、発泡樹脂製突起を周囲に複数有し、該円筒体の中心軸を回転軸として回転動作する請求項１記載のメダル回収機。
【請求項３】
円筒体形状の掻き込み部材の直径が２０〜２５ｍｍである請求項２記載のメダル回収機。
【請求項４】
掻き込み部材は、略上下に揺動自在である請求項１乃至３の何れかに記載のメダル回収機。
【請求項５】
掻き込み部材と収容部の間に、掻き込まれたメダル類を収容部へ案内する板状の案内部材を有し、該案内部材は掻き込み部材側先端が床面に接するよう下方へ付勢されてなる請求項１乃至４の何れかに記載のメダル回収機。
【請求項６】
案内部材は、後退移動可能であって床上の突起物等に当接した際にハウジング内に後退移動する請求項５記載のメダル回収機。
【請求項７】
回転付与手段がバッテリ駆動のモータである請求項１乃至６の何れかに記載のメダル回収機。
【請求項８】
回転付与手段がハウジングに備えた車輪であり、該車輪を回転伝達部材を介して掻き込み部材の回転軸に連結し、ハウジングを前進或いは後退操作することで掻き込み部材が回転する請求項１乃至６の何れかに記載のメダル回収機。
【発明の詳細な説明】
【０００１】
【発明の属する技術分野】
本発明は、床に落としたメダル或いはコイン等を回収するメダル回収機に関する。
【０００２】
【従来の技術】
遊技場に設置されている各種遊技機は、コインやコインに代わるメダルを投入口に投入することで稼動する。そのため、頻繁に投入操作が行われ、投入しそこなったり、落としたコインやメダル等は付近の床に転がり落ちることになる。ところが、隣接する遊技機同士は近接して設置されている場合が多く、まして隣の遊技機も使用されている場合はかがみ込んで拾い上げるのに十分なスペースが無いため、メダル類を落とした遊技機利用者は拾うのをあきらめてしまことが多い。そのため、管理者はそのようなメダル類をまとめて掃除機によりゴミと共に吸い上げて回収していた。
また、利用者の要請を受けて管理者が拾い上げることがあるが、その場合は、やはり掃除機を使用してゴミと共に吸い込んで回収するか、手を伸ばして回収したりしていた。
【０００３】
【発明が解決しようとする課題】
上述するように、従来は落としたメダル類を回収する専用の装置は無く、狭いスペースに手を伸ばしたり掃除機を使用していたため、回収する作業が面倒であった。特に掃除機で回収する場合、吸い込んだ後ゴミ収納部を開けてゴミ袋を取り出さなければならないし、ごみや塵を合わせて吸い込むためゴミ袋を取り出した後、更にメダル類を探し出す作業をしなければならず、面倒であったし厄介な作業となっていた。
そこで、本発明は上記問題点に鑑み、落としたメダル類の回収及び回収後の取り出しが容易なメダル回収機を提供することを目的とする。
【０００４】
【課題を解決するための手段】
上記課題を解決するため、請求項１の発明は、回転してメダル類を掻き込む掻き込み部材をハウジング前部に配置すると共に掻き込んだメダル類を収容する収容部をハウジング後部に設け、更に前記掻き込み部材を回転させる回転付与手段を備え、ハウジングの前面下部からハウジングの下面を開放して掻き込み部材を下方へ露出させ、床面に接した掻き込み部材を回転させることで床上のメダル類を掻き込み回収動作することを特徴とする。
【０００５】
請求項２の発明は、請求項１の発明において、掻き込み部材は、左右に伸びた円筒体であり、発泡樹脂製突起を周囲に複数有し、該円筒体の中心軸を回転軸として回転動作することを特徴とする。
また、請求項３の発明は、請求項２の発明において、円筒体形状の掻き込み部材の直径が２０〜２５ｍｍであることを特徴とする。
【０００６】
請求項４の発明は、請求項１乃至３の何れかの発明において、掻き込み部材は、略上下に揺動自在であることを特徴とする。
また、請求項５の発明は、請求項１乃至４の何れかの発明において、掻き込み部材と収容部の間に、掻き込まれたメダル類を収容部へ案内する板状の案内部材を有し、該案内部材は掻き込み部材側先端が床面に接するよう下方へ付勢されてなることを特徴とする。
【０００７】
請求項６の発明は、請求項５の発明において、案内部材は、後退移動可能であって床上の突起物等に当接した際にハウジング内に後退移動することを特徴とする。
また、請求項７の発明は、請求項１乃至６の何れかの発明において、回転付与手段がバッテリ駆動のモータであることを特徴とする。
また、請求項８の発明は、請求項１乃至６の何れかの発明において、回転付与手段がハウジングに備えた車輪であり、該車輪を回転伝達部材を介して掻き込み部材の回転軸に連結し、ハウジングを前進或いは後退操作することで掻き込み部材が回転することを特徴とする。
【０００８】
【発明の実施の形態】
以下、本発明を具体化した実施の形態を、図面に基づいて詳細に説明する。図１は本発明に係るメダル回収機の一例を示す斜視説明図であり、１は掻き込み部材としてのブラシ、２は回転付与手段であるモータ、３は回収したメダル類を収容する収容部、４は案内部材、５はハウジングであり、６はハウジング上面から上方に延びて上端部に把持部（図示せず）を有する操作棒である。
【０００９】
ブラシ１は、左右に伸びた棒状の軸体８の周囲に、発泡樹脂製の突起体を放射状に設けた円盤状のブラシ板１ａを軸方向に複数重ねて連結し、円筒状に形成して成り、ブラシ板の直径即ちブラシの直径は略２２ｍｍで形成され、軸体８を回転させることで全てのブラシ板１ａは一体となって回転する。また、軸体８の左右両端は前方がハウジングに支持された枠体９に軸支されている。
尚、ブラシ１の直径は２０〜２５ｍｍで作製すると良く、これはメダルの直径が通常２０〜２５ｍｍであるためで、ブラシをこの大きさとすることで、部屋の壁近くに、また隅部にメダル類が落ちてもブラシをメダル類の上まで持って行くことができ、掻き出して回収することができる。そのため、このブラシの直径は大きいと都合が悪く、例えば直径５０ｍｍ以上では部屋の隅部に落ちたメダル類を回収するのが難しい。
【００１０】
枠体９は、左右側板９ａ，９ａと前面連結板９ｂ及び背面連結板９ｃを有してブラシを囲むように形成され、側板９ａにブラシ１の軸体８が軸支され、背面連結板９ｃにはモータ２が組み付けられている。また、連結板９ｂの前方下部は、ブラシ１に平行に配置されてハウジング５の下部に支持された棒状の支持部材１０を挿通して、ブラシ１の回動支点を形成している。
また、軸体８の一端にはギヤ１１ａが設けられ、枠体の背板に組み付けられたモータ２の回転軸に装着されたギヤ１１ｂと歯合してモータ２を駆動源として軸体８を回転させるよう構成されている。
【００１１】
このように、ブラシ１は支持部材１０を回動支点として揺動自在にハウジング内に装着され、略上下方向に厳密には支持部材１０を中心に円弧状に上下動し、その回動角度に関わらずモータ２により回転動作することができる。そのため、床の凹凸に追従させて常に床面上を掻き込み動作させることができるし、メダル類の上を通過する際にはその厚みに応じて上下動させることができる。
尚、ブラシ板１ａは発泡樹脂製でなく例えばゴムのような弾性体、或いは薄い軟質樹脂で形成しても良い。また、モータ２はバッテリにより駆動されるが、バッテリは図面上省略してある。このバッテリはブラシ１上方のハウジング上部に組み込んでも良いし、操作棒の途中に組み付けることもできる。
【００１２】
案内部材４は、図２の斜視図に示すように形成され、１３は把持部材、１４は案内部材本体である。把持部材１３は左右に案内部材本体１４の前後移動を案内する案内溝１９を設けた把持部１３ａを有し、その左右側面には軸支部１３ｂ，１３ｂが突設され、ハウジング５に軸支されている。
案内部材本体１４は四角形板状に形成され、上面には前後方向に筋状突起１４ａが複数形成されている。この筋状突起１４ａは先端に向けて突起が小さく形成され、上下からテーパ部を設けて先端部に段差が発生しないよう形成され、掻き込まれたメダル類が先端部で引っかかることがないようにしてある。また、左右端部にはコイルバネ１５の一端を係止するための係止突起１４ｂが形成されている。
【００１３】
把持部材１３の左右側面には前後方向に長孔１３ｃが形成されていると共にその長孔１３ｃに隣接する前方にコイルバネ１５の他端を係止する係止突起１３ｄが形成され、案内部材本体１４に設けた係止突起１４ｂをその長孔１３ｃから突出させ、案内部材本体１４の係止突起１４ｂと把持部材１３の係止突起１３ｄ間にコイルバネ１５が取り付けられ、案内部材本体１４を前方に附勢している。
また、把持部材１３の後端下面とハウジング５底面との間には弾性体（図３に示す）が配置され、ブラシ１下部方向に向けて配置された案内部材４の先端部を下方に付勢している。尚、コイルバネ１５は例えばゴム紐のような他の弾性体に容易に変更できる。
【００１４】
そして、ハウジング５の後部に形成されたメダル類の収容部３は箱状に形成され、上部には取り出し口１６が開口形成されている。また、ハウジング前面下部にはメダル類の厚みを考慮して、メダル類を通過させて他のゴミ類を極力通過させないよう狭く形成したスリット状の隙間５ａが形成され、この隙間５ａを形成した先端から案内部材４を設けた途中までハウジング５の底部は開放され、ブラシ１を下方に露出させている。尚、１７は収容したメダル類を示している。
【００１５】
図３は上記図２の案内部材４の動作説明図であり、（ａ）は案内部材４が規制の無い状態、（ｂ）は床に本機を置いた状態、（ｃ）は床に段差がある場合を示している。なお、図３においてＰはハウジング底面、Ｑは回動支点であり把持部材１３の軸支部１３ｂを示し、Ｒは床面、１８は案内部材先端を下方に付勢させる弾性体を示し、図３では図示左側が先端となる。
図３に示すように、規制を受けていない図３（ａ）の状態では、案内部材は先端が下方及び前方へ突出した状態となっている。そして、床に本機を置いた図３（ｂ）の状態では弾性体１８は収縮され、案内部材４の先端、即ち案内部材本体１４の先端は弾性体１８の復元力で確実に床面に当接する。そのため、案内部材４と床面Ｒとの間に隙間が発生するようなことがない。
そして、図３（ｃ）に示すような段差がある場合、本機を操作した際に段差等の突起に当接すると案内部材本体１４はコイルバネ１５の作用に抗してハウジング５内へ後退動作するので、段差部との係合が外れて本機は前進することができる。また、案内部材本体１４が後退動作することで、回収操作中に案内部材先端部が床の段差に衝突してもその衝撃を吸収でき、ハウジングをスムーズに操作できるし、案内部材の変形或いは破損を防止できる。
【００１６】
図４はブラシ１の回転によるメダル類の回収動作の説明図であり、メダル類１７の上部をブラシ１が通過すると、ブラシ１の回転力でメダル類１７は後方へ掻き出される。この際、ブラシ１はメダル類１７の厚みに応じて支持部材１０によりハウジング５に連結された支点を中心に回動動作して上方へ移動する。この動作により、メダル類１７はスムーズに掻き出される。
そして、掻き出されたメダル類１７は、先端が床Ｒに当接した案内部材４上を駆け上がりハウジング後部に形成された収容部３に収容される。
【００１７】
このように、掻き込み部材であるブラシの回転力でメダル等を回収するので、掃除機と異なり吸引動作によらない。従って、同時に回収するゴミや塵等が少なく、メダル類の回収及び取り出しを容易に実施できる。また、モータは、掃除機のように吸引動作させる訳ではないので、掃除機に比べて小さな駆動力で済み、装置の小型化を図ることができるし、安価に構成できる。
また、ブラシの直径を２０〜２５ｍｍとすることでで、メダル類が部屋の壁際或いはコーナー部にあっても容易に回収することができ、どのような場所にメダル類が落ちても床上であれば直接手を伸ばすことなく回収することが可能である。
また、ブラシは床の凹凸状態或いはメダル類の厚みに応じて上下に移動するので確実にメダル類を回収できるし、案内部材の先端部は常に床面に接するように作用するので、ブラシにより掻き上げられたメダル類を確実に収容部に案内して収容することができる。
更に、バッテリによりモータを駆動することで、回収操作する際に商用電源等に接続する必要が無く、使用場所を選ばない。
【００１８】
図５は本発明に係るメダル回収機の他の形態を示し、上記図１の実施形態と同一の構成部材には同一の符号を付与してある。図１との相違点はブラシ１の回転付与手段が異なり、図５ではモータを使用せず、ハウジング５に車輪２０を取り付けて、その回転力によりブラシ１を回転させている。
車輪２０は、図５に示すように支持部材１０に両端に取り付けられ、ブラシ１を支持している支持部材１０の左右端部をハウジング５から突出させて回転軸として装着されている。そして、支持部材１０は回転伝達部材としてのベルト２１により軸体８に連結され、支持部材１０の回転をブラシ１に伝達している。但し、枠体９は支持部材１０に軸着支持され支持部材１０は回転可能に連結されている。
【００１９】
このように、車輪の回転を伝達してブラシを回転させるので動力源が必要なく、操作する際に商用電源等に接続する必要等無い。そのため、使用場所を選ばないし、構造を簡略化でき安価に製造できる。
【００２０】
尚、上記実施の形態では、収容部３を上部のみ開口窓を設けてハウジング５の一部として形成し、周囲壁面や底面を機密構造に形成しているが、掻き込んだ塵等を排出する小さな排出孔を床面等に複数設け、メダル類のみを収容するよう形成しても良い。また、収容部３はハウジング５と分離して例えば荒いメッシュで袋状に形成することもできる。
更に、操作棒６は、角度を固定してハウジング５に連結しているが、連結部を回動可能として傾倒自在にすると操作し易い。また、モータ２はギヤ１１を介してブラシ１と連結されているが、モータ２の性能に応じてモータ２の回転軸を直接ブラシ１の軸体８とすることもできる。
【００２１】
【発明の効果】
以上詳述したように、請求項１，２の発明によれば、掻き込み部材の回転力でメダル類を回収するので、掃除機と異なり吸引動作によらない。従って、同時に回収するゴミや塵等が少なく、メダル類の回収及び取り出しを容易に実施できる。また、回転付与手段は、掃除機のように吸引動作させる訳ではないので、掃除機に比べて小さな駆動力で済み、装置の小型化を図ることができるし、安価に構成できる。
【００２２】
請求項３の発明によれば、請求項２の効果に加えて、メダル類が部屋の壁際或いはコーナー部にあっても容易に回収することができ、どのような場所にメダル類が落ちても床上であれば直接手を伸ばすことなく回収することが可能である。
請求項４の発明によれば、請求項１乃至３の何れかの効果に加えて、掻き込み部材は床の凹凸状態或いはメダル類の厚みに応じて上下動するので、確実にメダル類を回収できる。
【００２３】
請求項５の発明によれば、請求項１乃至４の何れかの効果に加えて、案内部材の先端部は常に床面に接するように作用するので、掻き込み部材により掻き上げられたメダル類を確実に収容部に案内して収容することができる。
また請求項６の発明によれば、請求項５の効果に加えて、回収操作中に案内部材先端部が床の段差に衝突してもその衝撃を吸収するので、ハウジングをスムーズに操作できるし、案内部材の変形或いは破損を防止できる。
【００２４】
請求項７の発明によれば、請求項１乃至６の何れかの効果に加えて、回収操作する際に商用電源等に接続する必要が無く、使用場所を選ばない。
また、請求項８の発明によれば、請求項１乃至６の何れかの効果に加えて、回収操作する際に商用電源等に接続する必要が無く使用場所を選ばないし、構造を簡略化でき、安価に製造できる。
【図面の簡単な説明】
【図１】本発明の実施形態の一例を示すメダル回収機の斜視説明図である。
【図２】図１に示す案内部材の斜視図である。
【図３】図２の案内部材の動作説明図であり、（ａ）は案内部材が規制を受けていない状態、（ｂ）は本装置を平坦な床に載置した状態、（ｃ）は床に形成された段差に案内部材が当接した状態を示している。
【図４】掻き込み部材の動作説明図である。
【図５】本発明の他の実施形態を示すメダル回収機の斜視説明図である。
【符号の説明】
１・・掻き込み部材としてのブラシ、１ａ・・ブラシ板、２・・モータ、３・・収容部、４・・案内部材、５・・ハウジング、６・・操作棒、８・・軸体、９・・枠体、１０・・回動支点としての支持部材、１３・・把持部材、１４・・案内部材本体、１５・・コイルバネ、１８・・弾性体、２０・・車輪、２１・・ベルト。
【図１】
2004065673.tif 000003
【図２】
2004065673.tif 000004
【図３】
2004065673.tif 000005
【図４】
2004065673.tif 000006
【図５】
2004065673.tif 000007